(57)【要約】【課題】  組立て及び折り畳みを容易にし、折り畳み時のデザイン性を向上させる。【解決手段】  本発明に係る折り畳み架構は、放射状に形成された主天板３と主天板３に隣接して放射状に設けられた副天板４とから成る複数の天板ユニット５により構成された天板２と、主天板３に枢設され、天板２を所定姿勢に支持可能な天板支持部材６とを備え、副天板４を所定位置に収容させ、主天板３と天板支持部材６との各枢設部を互いに近接方向に移動させると、隣接する各主天板３同士が当接した状態で保持されるように構成されていることを特徴とする。【選択図】  図１
2005204732.tif 000002
【特許請求の範囲】
【請求項１】
放射状に形成された主天板と該主天板に隣接して放射状に設けられた副天板とから成る複数の天板ユニットにより構成された天板と、
前記主天板に枢設され、前記天板を所定姿勢に支持可能な天板支持部材と、
を備え、前記副天板を所定位置に収容させ、前記主天板と前記天板支持部材との各枢設部を互いに近接方向に移動させると、隣接する前記各主天板同士が当接した状態で保持されるように構成されていることを特徴とする折り畳み架構。
【請求項２】
前記天板は、中心角が３６０度未満の円形又は多角形により形成されている請求項１に記載の折り畳み架構。
【請求項３】
前記天板ユニットの前記副天板は、結合部材を介して前記主天板に重合可能に結合されている請求項１又は２に記載の折り畳み架構。
【請求項４】
前記天板ユニットの前記副天板は、前記主天板から分離しており、前記天板ユニットの展開時に前記各主天板間に形成される隙間を閉塞可能なように形成されている請求項１又は２に記載の折り畳み架構。
【請求項５】
前記天板ユニットの前記主天板の両側に結合部材を介して前記副天板が結合されていると共に隣接する前記天板ユニットの前記副天板同士が連結部材を介して結合されており、前記主天板と前記天板支持部材との各枢設部を互いに近接方向に移動させると、前記各主天板が起立姿勢となり且つ前記副天板が前記主天板の内側に収容されるように構成されている請求項１又は２に記載の折り畳み架構。
【請求項６】
前記天板支持部材は、上端部が前記主天板に枢設され、下端部が連結部材に枢設され、該連結部材により前記各天板支持部材同士が枢結されている請求項１〜５のいずれか１の請求項に記載の折り畳み架構。
【請求項７】
前記天板支持部材同士を結合する前記連結部材は所要の平面寸法を備えた底部である請求項６に記載の折り畳み架構。
【請求項８】
前記天板支持部材は、底部に立設された支柱部と、一方の端部が該支柱部に枢設されると共に他方の端部が前記主天板に枢設されたアーム部とから構成されている請求項１〜５のいずれか１の請求項に記載の折り畳み架構。
【請求項９】
請求項１〜８のいずれか１の請求項に記載の折り畳み架構を用いた折り畳み式テーブル。
【発明の詳細な説明】
【技術分野】
【０００１】
本発明は、テーブル、椅子、玩具の他、各種構造物に使用される折り畳み架構及びその架構を用いた折り畳み式テーブルに関する。
【背景技術】
【０００２】
従来、テーブル等の構造物において、使用時には特定の架構としての役割を果たし、不使用時には折り畳まれるように構成された各種折り畳み架構が知られている。この種の折り畳み架構を利用したものとしては、例えば、折り畳み自在に連結された天板のパネルと、該天板を支持し、折り畳み自在に連結された支持脚部材のパネルとから構成されたテーブルが提案されており、このテーブルは不使用時には天板のパネルと支持脚部材のパネルとを交互に折り畳んだ後、倉庫等に収納されるようになっている（例えば、特許文献１参照）。
【０００３】
【特許文献１】特開昭６３−１０９８０８号公報
【発明の開示】
【発明が解決しようとする課題】
【０００４】
しかしながら、上記した従来の折り畳み架構及びその架構を用いた折り畳み式テーブルは、機構が非常に複雑であるため、組立て及び折り畳み操作に手間が掛かるといった問題があった。また、不使用時には倉庫等、人目につかない場所に保管されていたため、折り畳み時の形状はコンパクト性だけを考慮して決定され、デザイン性がまったく考慮されていないといった問題もあった。
【０００５】
本発明は、上記した課題を解決すべくなされたものであり、組立て及び折り畳みが容易で、折り畳み時のデザイン性の優れた折り畳み架構及びその架構を用いた折り畳み式テーブルを提供するものである。
【課題を解決するための手段】
【０００６】
本発明に係る折り畳み架構は、放射状に形成された主天板３と主天板３に隣接して放射状に設けられた副天板４とから成る複数の天板ユニット５により構成された天板２と、主天板３に枢設され、天板２を所定姿勢に支持可能な天板支持部材６とを備え、副天板４を所定位置に収容させ、主天板３と天板支持部材６との各枢設部を互いに近接方向に移動させると、隣接する各主天板３同士が当接した状態で保持されるように構成されていることを特徴とする。
【０００７】
また、天板２は、中心角が３６０度未満の円形又は多角形により形成されていてもよい。
【０００８】
さらに、天板ユニット５の副天板４は、結合部材８を介して主天板３に重合可能に結合されていてもよく、或いは、天板ユニット５の副天板４は、主天板３から分離しており、天板ユニット５の展開時に各主天板３間に形成される隙間２２を閉塞可能なように形成されていてもよい。
【０００９】
さらにまた、天板ユニット５の主天板３の両側に結合部材８を介して副天板４が結合されていると共に隣接する天板ユニット５の副天板４同士が連結部材を介して結合されており、主天板３と天板支持部材６との各枢設部を互いに近接方向に移動させると、各主天板３が起立姿勢となり、主天板３の内側に収容されるように構成されていてもよい。
【００１０】
また、天板支持部材６は、上端部が主天板３に枢設され、下端部が連結部材２３に枢設され、連結部材２３により各天板支持部材６同士が枢結されていてもよい。
【００１１】
さらに、天板支持部材６同士を結合する連結部材２３は所要の平面寸法を備えた底部７であってもよい。
【００１２】
さらにまた、天板支持部材６は、底部７に立設された支柱部２４と、一方の端部が支柱部２４に枢設されると共に他方の端部が主天板３に枢設されたアーム部２５とから構成されていてもよい。
【００１３】
また、本発明は、上記したいずれかの折り畳み架構を用いた折り畳み式テーブルであってもよい。
【発明の効果】
【００１４】
本発明によれば、主天板と天板支持部材との各枢設部を互いに近接又は離反方向に移動させることにより、折り畳み又は組立てを行うことができるため、折り畳み又は組立て作業が容易となる。
【００１５】
また、折り畳み時には、隣接する各主天板同士が当接した状態で保持されるように構成されているため、折り畳み時のデザイン性を高めることができる等、種々の優れた効果を得ることができる。
【発明を実施するための最良の形態】
【００１６】
以下、図面を参照しつつ、本発明の実施の形態について説明する。なお、以下の説明では、本実施の形態に係る折り畳み架構を用いた折り畳み式テーブルについて説明する。ここで、図１は本実施の形態に係る折り畳み式テーブルの展開した状態を示す斜視図、図２はその折り畳み式テーブルを折り畳んでいる時の状態を示す斜視図、図３はその折り畳み式テーブルを折り畳んでいる時の状態を部分的に示す斜視図、図４はその折り畳み式テーブルを折り畳んだ状態を示す斜視図である。また、図５は本実施の形態に係る折り畳み式テーブルを展開した状態を示す側面、断面図、図６はその折り畳み式テーブルを折り畳んでいる時の状態を示す側面、断面図、図７はその折り畳み式テーブルを折り畳んだ状態を示す側面、断面図である。また、図８は図５に示す折り畳み式テーブルを展開した状態でのａ−ａ’、ｂ−ｂ’矢視位置での平面図、図９は図６に示す折り畳み式テーブルを折り畳んでいる時の状態でのｃ−ｃ’、ｄ−ｄ’矢視位置での平面図、図１０は図７に示す折り畳み式テーブルを折り畳んだ状態でのｅ−ｅ’、ｆ−ｆ’矢視位置での平面図である。
【００１７】
本実施の形態に係る折り畳み式テーブル１は、正１２角形の天板２を放射状に分割することにより形成された主天板３と副天板４とから成る天板ユニット５と、各主天板３の外周部に上端部が枢設され、天板２を所定姿勢に支持可能に設けられた天板支持部材６と、天板支持部材６の下端部が枢設された六角形板状の底部７とを備えている。
【００１８】
主天板３は、天板２を１２分割することにより形成される二等辺三角形状を成し、本実施の形態では、６枚形成されている。また、副天板４は、主天板３を半割りにした直角三角形状を成し、各主天板３の両側にヒンジ等の結合部材（図示せず）を介して結合され、各主天板３上に折り返し可能且つ重合可能に形成されている。そして、１枚の主天板３とその主天板３の両側にそれぞれ結合された２枚の副天板４とにより天板ユニット５が形成されている。なお、副天板４は、図１１に示すように、主天板３と同一形状とし、各主天板３の片側にヒンジ８を介して結合されていてもよく、また、各主天板３の下面側に折り返し可能且つ重合可能に形成されていてもよい。
【００１９】
なお、天板２は、主天板３の数を３以上、折り畳んだ時のコンパクトさの点からは、好ましくは、４以上とする。主天板３の数が２でも不可能ではないが、折り畳んだ時に板状となり、自立しづらく、また、折り畳んでもさほど小さくならないため、好ましくない。
【００２０】
また、副天板４は、主天板３と同一形状のものが主天板３と同数となるように構成されるので、折り畳み式テーブルを展開した時の天板形状は主天板３の数の２倍の辺の数を有する正多角形となる。例えば、図１に示すように、主天板３の数が６枚であれば、展開時は正１２角形となる。また、閉じた時の天板２の投影平面形状は、図１０のように正６角形である。
【００２１】
さらに、折り畳んだ時の投影平面形状は上記したように、主天板３の数と同じ辺の数となる正多角形となるので、主天板３の数を３から６のいずれかとすると、図１２に示すように、折り畳んだテーブルを隙間なく当接させて並べることができ、収納時に省スペースとすることができる。そして、主天板３の数が４の場合には、折り畳んだ時の投影平面形状が正方形で、角が直角となり、部屋の隅等への納まりがよく、この効果は最も高くなる。
【００２２】
さらにまた、各主天板３は、それぞれ独立していてもよいが、図１３の例に示すような結合部材２６により全主天板３の中央部を一体となるように結合すると、この結合部材２６を引き上げることによって全主天板３を同時に折り畳むことができるため、折り畳み作業を非常に容易に行うことできる。
【００２３】
天板支持部材６は、主天板３に対応させて６個設けられており、台形パネル状の支持脚部１１と、支持脚部１１の内面上部に突設された棒状の天板ストッパ１２と、支持脚部１１の外面下部に突設された三角形板状の支持脚部ストッパ１３とを備えている。そして、天板支持部材６は、天板ストッパ１２が主天板３に当接すると共に支持脚部ストッパ１３が底部７に当接することより、主天板３を水平姿勢に保持可能となっている。また、支持脚部１１の斜辺部には止め具（図示せず）が設けられており、該止め具は隣接する支持脚部１１に係止可能となっている。
【００２４】
支持脚部１１は、上記した台形パネル状の他、パイプ等の棒材１５を、図１４に示すように台形の枠状に形成させたり、図１５に示すようにエの字状に形成させたり、或いは、図１６に示すようにＴの字状に形成させたりしてもよい。
【００２５】
また、天板ストッパ１２は、上記した棒状の他、板材１６により形成されていてもよく、さらに、その取り付け位置は、主天板３側であってもよく、或いは、図１７に示されているように、主天板３と支持脚部１１の両方であってもよい。また、図１８に示されているように、天板ストッパ１２は、底部７の中心に棒材１７を垂直に立設させることにより形成させてもよく、この場合、棒材１７の上端が天板２の中心に当接し、各主天板３を水平姿勢に保持するようになっている。
【００２６】
さらに、支持脚部ストッパ１３は、上記した板状の他、棒材により形成されていてもよく、また、支持脚部１１の内面側に、図１９に示すようにワイヤ、ロープ等の可撓部材１９や、図２０に示すようにリンク機構２０を取り付け、引張力により支持脚部１１の外側への傾倒を規制するようにしてもよい。
【００２７】
また、底部７は、上記した板状の他、パイプ等により枠状又は放射状に形成させてもよい。そして、底部７の幅は、天板２の外周部に人間が手をついた程度、例えば、５０ｋｇ程度の荷重が作用した場合でもテーブル１が転倒しない程度の寸法を有しているのが好ましい。さらに、収納性及びデザイン性を考慮すると、底部７の平面寸法は、テーブル１を折り畳んだ時の他の部分の最大平面寸法と同一寸法或いはそれ以下の寸法になるように決定されるのが好ましい。
【００２８】
このような構成において、上記した折り畳み式テーブル１を使用する場合には、図１に示すように、各天板ユニット５の副天板４を主天板３の両側に展開させ、天板２を１２角形の板状にする。この時、天板ストッパ１２が主天板３に当接することにより主天板３と支持脚部１１との内角が所定角度に保持されると共に、支持脚部ストッパ１３が底部７に当接することにより底部７と支持脚部１１との内角が所定角度に保持され、支持脚部１１の外側への傾倒が規制され、天板２は水平姿勢に保持される。
【００２９】
また、折り畳みテーブル１を使用しない場合には、副天板４を主天板３上に折り返すと共に重合させた後、主天板３と天板支持部材６の支持脚部１１との枢設部を互いに近接方向に移動させる。そうすると、図４に示すように、各主天板３が起立姿勢となり、隣接する各主天板３の斜辺同士が当接すると共に、各支持脚部１１の斜辺同士が当接するので、前記止め具により隣接する各支持脚部１１同士を連結させ、テーブル１を折り畳み状態に保持させる。
【００３０】
このように、この折り畳み式テーブル１は、天板２の展開時の形態と折り畳み時の形態がまったく異なり、例えば、天板２の展開時の形態を開花状態とすれば、折り畳み時の形態は花のつぼみ状態のようであり、その形態変化において優れたデザイン性を有している。また、折り畳み時の形態は、主天板３と支持脚部１１により一定の容積を内包する容器状を成しており、一種のオブジェのようであり、極めて高いデザイン性を発揮する。
【００３１】
なお、上記実施の形態では、天板２は多角形状を成しているが、中心角が３６０度未満の多角形を成すように形成させてもよく、例えば、図２１に示すように、壁面に沿うように天板の中心角度が１８０°である１／２多角形としたり、或いは、図２２に示すように、コーナー部に合わせて天板の中心角度が９０°である１／４多角形としたりすることもできる。
【００３２】
また、天板２は、図２３に示すように、円形状とし、外周部の円弧部分が支持脚部１１より外側に突出するように構成させたり、或いは、図２４に示すように、正方形状とし、副天板４を折り畳んで主天板３上に収容する時に、外周部が支持脚部１１より外側に突出するように構成させたり、或いは、図２５に示すように、主天板３の外周部が支持脚部１１より外側に突出するように支持脚部１１の上端部を主天板３に枢設させたりしてもよい。主天板３の外周部が支持脚部１１より外側に突出するように構成した場合には、テーブル使用時に、使用者の足が支持脚部１１に当り難くなり、テーブルの使い勝手を向上させることができる。
【００３３】
さらに、天板ユニット５は、図２６に示すように、天板２の中心近傍において結合部材２１を介して副天板４を主天板３にスライド可能且つ重合可能に結合したり、或いは、図２７に示すように、副天板４を主天板３から分離させ、天板２の展開時に各主天板３の間に形成された隙間２２を副天板４により閉塞可能なように形成したりしてもよい。
【００３４】
さらにまた、図２８に示すように、隣接する各天板ユニット５の副天板４同士を連結部材により結合させ、主天板３と支持脚部１１との各枢設部を互いに近接方向に移動させると、副天板４が主天板３の内側に収容されるように構成させてもよい。また、本形状とすると、隣接する副天板４同士が結合されることにより全天板ユニット５が一体となるため、前述した結合部材２６により各主天板３を結合した時と同じように、折り畳み作業を容易とする効果を得ることができる。
【００３５】
なお、この場合には、天板２を展開すると、支持脚部１１が外側へ倒れようとする力が、結合された天板２の中に働く引張力と釣り合う効果が働くため、支持脚部ストッパ１３を設けなくても、支持脚部１１の外側への傾倒を規制することができる。
【００３６】
なお、図２８の形態とした場合は、隣接する副天板４同士のヒンジの結合方向の理由により、天板２を展開した状態において、副天板４同士の結合部分が垂れ下がる不具合が生じる。これを解決するため、各主天板３と副天板４の結合箇所の下側には、結合部補強部材が設けられているのが望ましい。その結合部補強部材は、例えば、図２９及び図３０に示すように、回転することにより主天板３と副天板４の両部材間に渡設可能な回転受け部材９や、図３１及び図３２に示すように、スライドすることにより前記両部材３，４間に渡設可能なスライド受け部材１０であってもよい。さらに、隣接する副天板４同士の下側に、補強部材を設けてもよく、その場合の補強部材としては、前記スライド受け部材１０が好適である。
【００３７】
また、天板支持部材６は、図３３に示すように、隣接する支持脚部１１の下端部同士をピン状の連結部材２３により枢結してもよい。この場合には、連結部材２３により各支持脚部１１が下端部を支点に内外方向に回動可能に支持されるため、上記した底部７を設けなくてもよい。
【００３８】
さらに、天板支持部材６は、図３４に示すように、底部７に立設された支柱部２４と、下端部が支柱部２４に枢設されると共に上端部が主天板３に枢設されたアーム部２５とから構成されていてもよい。また、アーム２５部は、リンク機構（図示せず）により構成されていてもよい。
【００３９】
さらに、上記実施の形態では、折り畳み時に天板２の中央部が上方に持ち上がり、天板ユニット５が起立姿勢となるように折り畳む形態について説明したが、図３５及び図３６に示すように、天板２の中央部を反対に下方に折り下げ、支持脚部１１内に天板２を格納するように折り畳む形態とすることもできる。このような形態とした場合には、折り畳み時に支持脚部１１の上端が水平な平面を提供するため、この上にさらに折り畳んだテーブル１を積み上げることができ、収納時にさらに省スペース化を図ることができる。
【００４０】
なお、この形態とした時は、天板２の折り畳み時に天板ストッパ１２が主天板３と干渉する不具合が生じるため、この解決策として、天板ストッパ１２を折り畳み式にしたり、或いは、図１８に示すように、天板ストッパ１２を底部７の中心に立設された棒材とし、これを伸縮可能にしたり等することが望ましい。
【００４１】
さらに、上記した折り畳み式テーブル１は、折り畳まれることにより非常に持ち易くなる効果を得ることができる。一般的に、円形テーブルは腕を広げて持たなければならないため、非常に持ちづらいものであるが、折り畳まれることにより本折り畳み式テーブル１はその幅が約１／２とコンパクトになり、非常に持ち易いものとなる。さらに、例えば、支持脚部１１の外面に取手（図示せず）を取り付けてもよく、このようにすることにより、折り畳み時に一層持ち運び易くなる。
【００４２】
さらにまた、上記実施の形態においては、折り畳み架構を折り畳み式テーブル１に用いた場合についてのみ説明したが、本発明に係る折り畳み架構は規模を問わないため、以下のように、他の用途へも適用可能である。
【００４３】
例えば、テーブルよりも小さな大きさとして、折り畳み可能な椅子、腰掛けとすることができる。
【００４４】
また、折り畳みによる形態変化の面白さを利用して子供用の玩具とすることもできる。その例としては、図４の閉じた時の形態が尖塔部と胴部のような構成をしていることから、ロケットや鉛筆に似せた彩色をしておき、展開させるとテーブル形態となるようにしたもの等を考えることができる。
【００４５】
また、規模を大きくして建築物とすることもできる。その例としては、図４の閉じた時の形態が、ある容積を内包する形態をしていることから、この閉じた状態において、内部を部屋として利用する建物とし、これを必要に応じて展開させることにより、大きな天蓋を有する半屋外空間とするもの等である。
【００４６】
また、別の例としては、図４の形態が前述したように非常に特徴のあるオブジェのような形態であることから、ビルの屋上や広場にオブジェとして、或いは、広告塔等として設置し、必要に応じて、これを展開してヘリポートとして利用したり、音楽ステージとして利用したりする等である。
【００４７】
また、この他にも様々な利用形態に適用できることは言う迄もない。
【図面の簡単な説明】
【００４８】
【図１】本発明の実施の形態に係る折り畳み式テーブルを示す斜視図である。
【図２】本発明の実施の形態に係る折り畳み式テーブルを折り畳んでいる時の状態を示す斜視図である。
【図３】本発明の実施の形態に係る折り畳み式テーブルを折り畳んでいる時の状態を部分的に示す斜視図である。
【図４】本発明の実施の形態に係る折り畳み式テーブルを折り畳んだ状態を示す斜視図である。
【図５】本発明の実施の形態に係る折り畳み式テーブルを展開した状態を示す側面、断面図である。
【図６】本発明の実施の形態に係る折り畳み式テーブルを折り畳んでいる時の状態を示す側面、断面図である。
【図７】本発明の実施の形態に係る折り畳み式テーブルを折り畳んだ状態を示す側面、断面図である。
【図８】図５のａ−ａ’、ｂ−ｂ’矢視位置での平面図である。
【図９】図６のｃ−ｃ’、ｄ−ｄ’矢視位置での平面図である。
【図１０】図７のｅ−ｅ’、ｆ−ｆ’矢視位置での平面図である。
【図１１】本発明の実施の形態における天板ユニットの別の例を示す背面図である。
【図１２】本発明の実施の形態に係る折り畳み式テーブルを折り畳んで複数並べた状態を示す平面図である。
【図１３】本発明の実施の形態における主天板の結合部材を示す背面図（見上げ図）である。
【図１４】本発明の実施の形態における支持脚部の別の例を示す斜視図である。
【図１５】本発明の実施の形態における支持脚部のさらに別の例を示す斜視図である。
【図１６】本発明の実施の形態における支持脚部のさらに別の例を示す斜視図である。
【図１７】本発明の実施の形態における天板ストッパの別の例を示す側面図である。
【図１８】本発明の実施の形態における天板ストッパのさらに別の例を示す側面図である。
【図１９】本発明の実施の形態における支持脚部ストッパの別の例を示す側面図である。
【図２０】本発明の実施の形態における支持脚部ストッパのさらに別の例を示す側面図である。
【図２１】本発明の実施の形態に係る折り畳み式テーブルの別の例を示す斜視図である。
【図２２】本発明の実施の形態に係る折り畳み式テーブルのさらに別の例を示す斜視図である。
【図２３】本発明の実施の形態における天板の別の例を示す平面図である。
【図２４】本発明の実施の形態における天板のさらに別の例を示す平面図である。
【図２５】本発明の実施の形態における主天板と支持脚部との枢設部の別の例を示す側面図である。
【図２６】本発明の実施の形態における天板の別の例を示す平面図である。
【図２７】本発明の実施の形態における天板のさらに別の例を示す平面図である。
【図２８】本発明の実施の形態に係る折り畳み式テーブルのさらに別の例を示す斜視図である。
【図２９】本発明の実施の形態における主天板と副天板の結合部補強部材を示す側面図である。
【図３０】本発明の実施の形態における主天板と副天板の結合部補強部材の別の例を示す側面図である。
【図３１】本発明の実施の形態における主天板と副天板の結合部補強部材の別の例を示す側面図である。
【図３２】図３１のＡ−Ａ矢視図である。
【図３３】本発明の実施の形態における連結部材を示す斜視図である。
【図３４】本発明の実施の形態における天板支持部材の別の例を示す側面図である。
【図３５】本発明の実施の形態に係る折り畳み式テーブルのさらに別の例のテーブルを折り畳んでいる時の状態を示す斜視図である。
【図３６】本発明の実施の形態に係る折り畳み式テーブルのさらに別の例のテーブルを折り畳んだ状態示す斜視図である。
【符号の説明】
【００４９】
１          折り畳み式テーブル
２          天板
３          主天板
４          副天板
５          天板ユニット
６          天板支持部材
７          底部
８          ヒンジ
１３        支持脚部ストッパ
２１        結合部材
２２        隙間
２３        連結部材
２４        支柱部
２５        アーム部
【図１】
2005204732.tif 000003
【図２】
2005204732.tif 000004
【図３】
2005204732.tif 000005
【図４】
2005204732.tif 000006
【図５】
2005204732.tif 000007
【図６】
2005204732.tif 000008
【図７】
2005204732.tif 000009
【図８】
2005204732.tif 000010
【図９】
2005204732.tif 000011
【図１０】
2005204732.tif 000012
【図１１】
2005204732.tif 000013
【図１２】
2005204732.tif 000014
【図１３】
2005204732.tif 000015
【図１４】
2005204732.tif 000016
【図１５】
2005204732.tif 000017
【図１６】
2005204732.tif 000018
【図１７】
2005204732.tif 000019
【図１８】
2005204732.tif 000020
【図１９】
2005204732.tif 000021
【図２０】
2005204732.tif 000022
【図２１】
2005204732.tif 000023
【図２２】
2005204732.tif 000024
【図２３】
2005204732.tif 000025
【図２４】
2005204732.tif 000026
【図２５】
2005204732.tif 000027
【図２６】
2005204732.tif 000028
【図２７】
2005204732.tif 000029
【図２８】
2005204732.tif 000030
【図２９】
2005204732.tif 000031
【図３０】
2005204732.tif 000032
【図３１】
2005204732.tif 000033
【図３２】
2005204732.tif 000034
【図３３】
2005204732.tif 000035
【図３４】
2005204732.tif 000036
【図３５】
2005204732.tif 000037
【図３６】
2005204732.tif 000038